(57)【要約】【課題】ユーザによる入力操作を簡素化することのできる通信支援プログラムを提供する。【解決手段】プリンタとの通信を行うための画面（図４（ａ））においては、ＷｉＦｉプリンタを選択する操作のための領域、ＷｉＦｉ通信を選択するためのラジオボタンＲＡ、Ｂｌｕｅｔｏｏｔｈプリンタを選択するための領域、およびＢｌｕｅｔｏｏｔｈ通信を選択するためのラジオボタンＲＡが表示される。ＷｉＦｉプリンタが未設定である場合、ＷｉＦｉ通信を選択するためのラジオボタンＲＡへの入力操作がなされた場合であっても、ＷｉＦｉプリンタを選択するための検索画面に移行する（図４（ｂ））。【選択図】  図４
2014107846.tif 000002
【特許請求の範囲】
【請求項１】
第１通信経路を用いて外部のデバイスと通信する第１通信部と、
第２通信経路を用いて外部のデバイスと通信する第２通信部と、
ユーザからの入力を受け付ける入力部と、
各種情報を表示する表示部と、
制御部とを備える通信装置について、前記制御部によって実行される通信支援プログラムにおいて、
前記制御部に実行させる機能として、
前記第１通信経路および前記第２通信経路について、各々の通信経路を用いて通信するデバイスを設定するデバイス設定機能と、
前記入力部を介した入力により、前記第１通信経路および第２通信経路のうち、いずれかを選択可能な状態とする選択支援機能と、
前記選択支援機能により選択可能な状態である前記第１通信経路および前記第２通信経路のうち、前記第１通信経路が選択されたとき、前記第１通信経路について前記デバイス設定機能による前記デバイスの設定がなされていない場合、前記デバイス設定機能によるデバイスの設定を可能とする設定支援機能と、
前記選択支援機能により選択可能な状態である前記第１通信経路および前記第２通信経路のうち、前記第１通信経路が選択されたとき、前記第１通信経路について前記デバイス設定機能による前記デバイスの設定がなされている場合、前記選択された通信経路を通信に用いる経路として設定する経路設定機能と、
を有することを特徴とする通信支援プログラム。
【請求項２】
前記選択支援機能は、前記第１通信経路および前記第２通信経路のそれぞれについて、デバイス選択領域および通信選択領域を備える選択支援領域を前記表示部に表示させるものであり、
前記設定支援機能は、前記選択支援機能により選択可能な状態である前記第１通信経路および前記第２通信経路のうち、前記第１通信経路に関する前記デバイス選択領域、および前記通信選択領域のいずれかが選択されたとき、前記第１通信経路について前記デバイス設定機能による設定がなされていない場合、前記第１通信経路を用いて通信するデバイスとして、前記デバイス設定機能によるデバイスの設定を可能とするものであり、
前記経路設定機能は、前記選択支援機能により選択可能な状態である前記第１通信経路および前記第２通信経路のうち、前記第１通信経路に関する前記通信選択領域が選択されたとき、前記第１通信経路について前記デバイス設定機能による前記デバイスの設定がなされている場合、前記第１通信経路を前記デバイスとの通信に用いる経路として設定する
ことを特徴とする請求項１記載の通信支援プログラム。
【請求項３】
前記経路設定機能は、前記デバイス設定機能により前記第１通信経路を用いて通信するデバイスが設定されたとき、該デバイスの設定以前において前記第２通信経路が通信に用いる経路として設定されている場合であっても、前記第１通信経路を通信に用いる経路として設定することを特徴とする請求項１または２記載の通信支援プログラム。
【請求項４】
前記選択支援機能は、前記第１通信経路および前記第２通信経路のそれぞれについて、デバイス選択領域および通信選択領域を備える選択支援領域を前記表示部に表示させるものであり、
前記設定支援機能は、前記選択支援機能により選択可能な状態である前記第１通信経路および前記第２通信経路のうち、前記第１通信経路に関する前記通信選択領域が選択されたとき、前記第１通信経路について前記デバイス設定機能による前記デバイスの設定がなされていない場合であって且つ、前記第１通信経路を用いた通信の機能が無効とされている場合、前記通信の機能が有効とされることを条件に、前記デバイス設定機能による前記第１通信経路に関するデバイスの設定を可能とすることを特徴とする請求項１から３のいずれか１項に記載の通信支援プログラム。
【請求項５】
前記選択支援機能により選択可能な状態である前記第１通信経路および前記第２通信経路のうち、前記第１通信経路が選択されたとき、前記第１通信経路について前記デバイスの設定がなされていない場合、前記表示部に、前記第１通信経路を用いて通信するデバイスの候補を表示する候補表示機能を有し、
前記デバイス設定機能は、前記候補表示機能によって前記表示部に表示されたデバイスの候補の中から、前記第１通信経路を用いて通信するデバイスを設定することを特徴とする請求項１から４のいずれか１項に記載の通信支援プログラム。
【請求項６】
第１通信経路を用いて外部のデバイスと通信する第１通信部と、
第２通信経路を用いて外部のデバイスと通信する第２通信部と、
ユーザからの入力を受け付ける入力部と、
各種情報を表示する表示部と、
制御部とを備える通信装置について、前記制御部によって実行される通信支援プログラムにおいて、
前記制御部に実行させる機能として、
前記第１通信経路および前記第２通信経路について、各々の通信経路を用いて通信するデバイスを設定するデバイス設定機能と、
前記第１通信経路および前記第２通信経路のうちのいずれかを通信に用いる経路として設定する経路設定機能と、
を有し、
前記経路設定機能は、前記デバイス設定機能により前記第１通信経路を用いて通信するデバイスが設定されたとき、該デバイスの設定以前において前記第２通信経路が通信に用いる経路として設定されていた場合であっても、前記第１通信経路を通信に用いる経路として設定することを特徴とする通信支援プログラム。
【請求項７】
前記制御部に実行させる機能として、前記第１通信経路および前記第２通信経路のそれぞれについて、デバイス選択領域および通信選択領域を備える選択支援領域を前記表示部に表示させることで、いずれかの通信経路を選択可能な状態とする選択支援機能を有することを特徴とする請求項６記載の通信支援プログラム。
【請求項８】
前記デバイス設定機能は、前記デバイス選択領域が操作される場合、該領域が前記経路設定機能によって設定された経路に関するものであるか否かにかかわらず、操作された領域に対応する通信経路を用いて通信するデバイスを設定可能とすることを特徴とする請求項２，４，７のいずれか１項に記載の通信支援プログラム。
【請求項９】
前記選択支援機能は、経路設定機能によって設定されている経路に対応する前記通信選択領域と、設定されていない経路に対応する前記通信選択領域とで表示を相違させることで、いずれの経路が設定されているかを可視化することを特徴とする請求項２，４，７，８のいずれか１項に記載の通信支援プログラム。
【請求項１０】
前記選択支援機能は、前記デバイス設定機能によってデバイスが設定されると、その旨を前記表示部に表示するデバイス表示機能を有することを特徴とする請求項１から５，７から９のいずれか１項に記載の通信支援プログラム。
【請求項１１】
前記選択支援機能は、前記デバイス設定機能によってデバイスが設定されていない場合、その旨を前記表示部に表示する未設定表示機能を有することを特徴とする請求項１から５，７から１０のいずれか１項に記載の通信支援プログラム。
【請求項１２】
第１通信経路を用いて外部のデバイスと通信する第１通信部と、
第２通信経路を用いて外部のデバイスと通信する第２通信部と、
ユーザからの入力を受け付ける入力部と、
各種情報を表示する表示部と、
制御部とを備える通信装置において、
前記制御部は、
前記第１通信経路および前記第２通信経路について、各々の通信経路を用いて通信するデバイスを設定するデバイス設定機能と、
前記入力部を介した入力により、前記第１通信経路および第２通信経路のうち、いずれかを選択可能な状態とする選択支援機能と、
前記選択支援機能により選択可能な状態である前記第１通信経路および前記第２通信経路のうち、前記第１通信経路が選択されたとき、前記第１通信経路について前記デバイス設定機能による前記デバイスの設定がなされていない場合、前記デバイス設定機能によるデバイスの設定を可能とする設定支援機能と、
前記選択支援機能により選択可能な状態である前記第１通信経路および前記第２通信経路のうち、前記第１通信経路が選択されたとき、前記第１通信経路について前記デバイス設定機能による前記デバイスの設定がなされている場合、前記選択された通信経路を通信に用いる経路として設定する経路設定機能と、
を備えることを特徴とする通信装置。
【請求項１３】
第１通信経路を用いて外部のデバイスと通信する第１通信部と、
第２通信経路を用いて外部のデバイスと通信する第２通信部と、
ユーザからの入力を受け付ける入力部と、
各種情報を表示する表示部と、
制御部とを備える通信装置において、
前記制御部は、
前記第１通信経路および前記第２通信経路について、各々の通信経路を用いて通信するデバイスを設定するデバイス設定機能と、
前記第１通信経路および前記第２通信経路のうちのいずれかを通信に用いる経路として設定する経路設定機能と、
を備え、
前記経路設定機能は、前記デバイス設定機能により第１通信経路を用いて通信するデバイスが設定されたとき、該デバイスの設定以前において前記第２通信経路が通信に用いる経路として設定されていた場合であっても、前記第１通信経路を通信に用いる経路として設定することを特徴とする通信装置。
【発明の詳細な説明】
【技術分野】
【０００１】
本発明は、通信支援プログラムおよび通信装置に関し、特にユーザによる操作性を向上させることのできる通信支援プログラムおよび通信装置に関する。
【背景技術】
【０００２】
たとえば下記特許文献１には、外部の機器との通信に、Ｂｌｕｅｔｏｏｔｈ（登録商標）および無線ＬＡＮのいずれをも利用可能な携帯電話機が記載されている。
【先行技術文献】
【特許文献】
【０００３】
【特許文献１】特開２０１１−１４６９９１号公報
【発明の概要】
【発明が解決しようとする課題】
【０００４】
上記のように複数の通信経路を利用可能な装置において、外部の機器との通信を行うためには通信経路を選択する入力操作と、通信経路において通信相手となる機器を特定する入力操作とをユーザが行うことが要求される。このため、これらの入力操作が煩わしいものとなりやすいという問題点があった。
【０００５】
本発明は、上記問題点を解決する過程でなされたものであり、その目的は、ユーザによる入力操作を簡素化することのできる通信支援プログラムおよび通信装置を提供することにある。
【課題を解決するための手段】
【０００６】
この目的を達成するために、本発明の通信支援プログラムは、第１通信経路を用いて外部のデバイスと通信する第１通信部と、第２通信経路を用いて外部のデバイスと通信する第２通信部と、ユーザからの入力を受け付ける入力部と、各種情報を表示する表示部と、制御部とを備える通信装置について、前記制御部によって実行されるものにおいて、前記制御部に実行させる機能として、前記第１通信経路および前記第２通信経路について、各々の通信経路を用いて通信するデバイスを設定するデバイス設定機能と、前記入力部を介した入力により、前記第１通信経路および第２通信経路のうち、いずれかを選択可能な状態とする選択支援機能と、前記選択支援機能により選択可能な状態である前記第１通信経路および前記第２通信経路のうち、前記第１通信経路が選択されたとき、前記第１通信経路について前記デバイス設定機能による前記デバイスの設定がなされていない場合、前記デバイス設定機能によるデバイスの設定を可能とする設定支援機能と、前記選択支援機能により選択可能な状態である前記第１通信経路および前記第２通信経路のうち、前記第１通信経路が選択されたとき、前記第１通信経路について前記デバイス設定機能による前記デバイスの設定がなされている場合、前記選択された通信経路を通信に用いる経路として設定する経路設定機能と、を有する。
【０００７】
また、本発明の通信支援プログラムは、第１通信経路を用いて外部のデバイスと通信する第１通信部と、第２通信経路を用いて外部のデバイスと通信する第２通信部と、ユーザからの入力を受け付ける入力部と、各種情報を表示する表示部と、制御部とを備える通信装置について、前記制御部によって実行される通信支援プログラムにおいて、前記制御部に実行させる機能として、前記第１通信経路および前記第２通信経路について、各々の通信経路を用いて通信するデバイスを設定するデバイス設定機能と、前記第１通信経路および前記第２通信経路のうちのいずれかを通信に用いる経路として設定する経路設定機能と、を有し、前記経路設定機能は、前記デバイス設定機能により第１通信経路を用いて通信するデバイスが設定されたとき、該デバイスの設定以前において前記第２通信経路が通信に用いる経路として設定されていた場合であっても、前記第１通信経路を通信に用いる経路として設定することを特徴とする。
【０００８】
また、本発明の通信装置は、第１通信経路を用いて外部のデバイスと通信する第１通信部と、第２通信経路を用いて外部のデバイスと通信する第２通信部と、ユーザからの入力を受け付ける入力部と、各種情報を表示する表示部と、制御部とを備えるものにおいて、前記第１通信経路および前記第２通信経路について、各々の通信経路を用いて通信するデバイスを設定するデバイス設定機能と、前記入力部を介した入力により、前記第１通信経路および第２通信経路のうち、いずれかを選択可能な状態とする選択支援機能と、前記選択支援機能により選択可能な状態である前記第１通信経路および前記第２通信のうち、前記第１通信経路が選択されたとき、前記第１通信経路について前記デバイス設定機能による前記デバイスの設定がなされていない場合、前記デバイス設定機能によるデバイスの設定を可能とする設定支援機能と、前記選択支援機能により選択可能な状態である前記第１通信経路および前記第２通信経路のうち、前記第１通信経路が選択されたとき、前記第１通信経路について前記デバイス設定機能による前記デバイスの設定がなされている場合、前記選択された通信経路を通信に用いる経路として設定する経路設定機能と、を備える。
【０００９】
また、本発明の通信装置は、第１通信経路を用いて外部のデバイスと通信する第１通信部と、第２通信経路を用いて外部のデバイスと通信する第２通信部と、ユーザからの入力を受け付ける入力部と、各種情報を表示する表示部と、制御部とを備えるものにおいて、前記制御部に実行させる機能として、前記第１通信経路および前記第２通信経路について、各々の通信経路を用いて通信するデバイスを設定するデバイス設定機能と、前記第１通信経路および前記第２通信経路のうちのいずれかを通信に用いる経路として設定する経路設定機能と、を備え、前記経路設定機能は、前記デバイス設定機能により第１通信経路を用いて通信するデバイスが設定されたとき、該デバイスの設定以前において前記第２通信経路が通信に用いる経路として設定されていた場合であっても、前記第１通信経路を通信に用いる経路として設定する。
【発明の効果】
【００１０】
請求項１記載の通信支援プログラムでは、選択支援機能により選択可能な状態である前記第１通信経路および前記第２通信経路のうち、第１通信経路が選択されたとき、第１通信経路についてデバイスの設定がなされていない場合、設定支援機能によって、デバイス設定機能によるデバイスの設定を可能とする一方、デバイスが設定されている場合、経路設定機能によって、選択された通信経路を通信に用いるものに設定する。これにより、ユーザによる入力操作を簡素化することができる。
【００１１】
請求項２記載の通信支援プログラムでは、デバイス選択領域と通信選択領域とを設ける。これにより、請求項１記載の通信支援プログラムの効果に加えて、デバイスの選択を希望する場合と通信経路の選択を希望する場合とのそれぞれにおいてユーザがなすべき操作をわかりやすく伝えることができる。しかも、デバイス設定がなされていない場合、通信選択領域が選択された場合であっても、デバイスの設定を可能とすることで、ユーザによる入力操作を簡素化することができる。
【００１２】
請求項３記載の通信支援プログラムは、デバイス設定機能によってデバイスが設定される場合、設定されたデバイスに対応する通信経路が実際に通信に用いられる経路として用いられる可能性が高いことに着目する。この点に鑑み、第２通信経路が通信に用いる設定されている場合であっても、第１通信経路を用いて通信するデバイスが設定されることで第１通信経路を実際に通信に用いる経路として設定することで、請求項１または２記載の通信支援プログラムの効果に加えて、さらにユーザの入力操作を簡素化することができるという効果を奏する。
【００１３】
請求項４記載の通信支援プログラムは、第１通信経路に関する通信選択領域が選択されたとき、第１通信経路を用いた通信の機能が無効とされている場合、通信の機能が有効とされるまではデバイスの設定を可能としない。そして通信の機能が有効とされた場合、デバイスの設定が可能となるようにすることで、通信の機能が有効とされた後、通信経路の選択前の状態に戻る場合と比較して、ユーザによる入力操作が簡素化される。したがって、請求項４記載の通信支援プログラムによれば、請求項１から３のいずれか１項に記載の通信支援プログラムの効果に加えて、通信の機能が有効とされた状態でデバイス設定を行う旨の条件を課しつつも、ユーザによる入力操作を簡素化することができるという効果を奏する。
【００１４】
請求項５記載の通信支援プログラムは、デバイス表示機能によって、通信するデバイスの候補を表示する。これにより、請求項１から４のいずれか１項に記載の通信支援プログラムの効果に加えて、通信するデバイスの選択が容易となるという効果を奏する。
【００１５】
請求項６記載の通信支援プログラムでは、第１通信経路を用いて通信するデバイスが設定される場合、第１通信経路が実際に通信に用いられる経路として用いられる可能性が高いことに着目する。この点に鑑み、第１通信経路が通信に用いる経路として設定されていない場合であっても、第１通信経路を実際に通信に用いる経路として設定することで、ユーザの入力操作を簡素化することができるという効果を奏する。
【００１６】
請求項７記載の通信支援プログラムでは、表示部にデバイス選択領域と通信選択領域とを表示する。これにより、請求項６記載の通信支援プログラムの効果に加えて、デバイスの選択を希望する場合と通信経路の選択を希望する場合とのそれぞれにおいてユーザがなすべき操作をわかりやすく伝えることができるという効果を奏する。
【００１７】
請求項８記載の通信支援プログラムでは、設定されていない経路に対応するデバイス選択領域の選択によりその経路に対応するデバイスを設定可能とすることで、通信経路を選択した後、デバイスを設定可能とする場合と比較して、ユーザの入力操作を簡素化することができる。したがって、請求項８記載の通信支援プログラムによれば、請求項２，４，７のいずれか１項に記載の通信支援プログラムの効果に加えて、さらに、いずれか１つの通信経路が通信に用いる経路として必ず設定されるものとしつつも、ユーザの入力操作を簡素化することができる。
【００１８】
請求項９記載の通信支援プログラムでは、通信に用いる経路として設定されている経路と設定されていない経路とで表示を相違させることで、請求項２，４，７，８のいずれか１項に記載の通信支援プログラムの効果に加えて、設定された通信経路をユーザが把握することが容易となるという効果を奏する。
【００１９】
請求項１０記載の通信支援プログラムでは、選択支援機能にデバイス表示機能を設けることで、請求項１から５，７から９のいずれか１項に記載の通信支援プログラムの効果に加えて、設定されたデバイスをユーザが把握することが容易となるという効果を奏する。
【００２０】
請求項１１記載の通信支援プログラムでは、未設定表示機能を設けることで、請求項１から５，７から１０のいずれか１項に記載の通信支援プログラムの効果に加えて、デバイスが設定されていない場合に、その旨をユーザが把握することが容易となるという効果を奏する。
【００２１】
請求項１２記載の通信装置では、選択支援機能により選択可能な状態である前記第１通信経路および前記第２通信経路のうち、第１通信経路が選択されたとき、第１通信経路についてデバイスの設定がなされていない場合、設定支援機能によって、デバイス設定機能によるデバイスの設定を可能とする一方、デバイスが設定されている場合、経路設定機能によって、選択された通信経路を通信に用いるものに設定する。これにより、ユーザによる入力操作を簡素化することができる。
【００２２】
請求項１３記載の通信装置では、第１通信経路を用いて通信するデバイスが設定される場合、第１通信経路が実際に通信に用いられる経路として用いられる可能性が高いことに着目する。この点に鑑み、第１通信経路が通信に用いる経路として設定されていない場合であっても、第１通信経路を実際に通信に用いる経路として設定することで、ユーザの入力操作を簡素化することができるという効果を奏する。
【図面の簡単な説明】
【００２３】
【図１】第１の実施形態にかかるシステム構成図。
【図２】プリンタ設定モードにおけるＬＣＤの表示を示す平面図。
【図３】ＷｉＦｉ通信支援処理の手順を示す流れ図。
【図４】プリンタ未設定時におけるラジオボタンのタッチに伴う処理を示す図。
【図５】プリンタ未設定時におけるラジオボタンのタッチに伴う処理を示す図。
【図６】ＷｉＦｉ設定処理の手順を示す流れ図。
【図７】プリンタ選択領域のタッチに伴う処理を示す図。
【図８】Ｂｌｕｅｔｏｏｔｈ通信支援処理の手順を示す流れ図。
【図９】プリンタ未設定時におけるラジオボタンのタッチに伴う処理を示す図。
【図１０】プリンタ未設定時におけるラジオボタンのタッチに伴う処理を示す図。
【図１１】Ｂｌｕｅｔｏｏｔｈ設定処理の手順を示す流れ図。
【図１２】プリンタ選択領域のタッチに伴う処理を示す図。
【図１３】第２の実施形態にかかるＷｉＦｉ通信支援処理の手順を示す流れ図。
【発明を実施するための形態】
【００２４】
＜第１の実施形態＞
以下、本発明にかかる第１の実施形態について、図面を参照しつつ説明する。
【００２５】
図１に、本実施形態にかかる通信装置としての携帯電話機１０の構成を示す。携帯電話機１０において、入出力ポート１２を介して、中央処理装置（ＣＰＵ１４）、メモリ１６、ＷｉＦｉ通信部１８、Ｂｌｕｅｔｏｏｔｈ通信部２０、ユーザインターフェース２２が通信可能となっている。ＣＰＵ１４は、メモリ１６に格納されたプログラムを実行するハードウェア処理手段であり、本実施形態において制御部を構成する。また、ＷｉＦｉ通信部１８は、通信経路として、ＷｉＦｉ（ｗｉｒｅｌｅｓｓ  ｆｉｄｅｌｉｔｙ：登録商標）を用いた通信を行うためのトランシーバである。一方、Ｂｌｕｅｔｏｏｔｈ通信部２０は、通信経路として、Ｂｌｕｅｔｏｏｔｈを用いた通信を行うトランシーバである。また、ユーザインターフェース２２として、表示部としての液晶表示装置（ＬＣＤ）２２ｂと、ユーザによる入力を受け付ける入力部としてのタッチパネル２２ａとを備えている。本実施形態では、特にＬＣＤ２２ｂにタッチパネル２２ａを重ねて構成している。
【００２６】
上記ＷｉＦｉを用いた通信と、Ｂｌｕｅｔｏｏｔｈを用いた通信とは、携帯電話機１０が外部のプリンタと通信するためにも用いられる。すなわち、携帯電話機１０は、図示しない外部の複数のプリンタと通信可能である。各プリンタは、ＷｉＦｉを用いた通信と、Ｂｌｕｅｔｏｏｔｈを用いた通信とのいずれかが可能であり、いずれかによって携帯電話機１０と通信する。
【００２７】
ここで、ＷｉＦｉを用いた通信と、Ｂｌｕｅｔｏｏｔｈを用いた通信とのいずれかの選択操作と、選択された通信経路によって通信を行うプリンタの機種設定とを行うに際し、タッチパネル２２ａへの入力操作を簡素化すべく、本実施形態では、メモリ１６内に記憶されたアプリケーションプログラム（通信支援プログラム）が設計されている。なお、通信支援プログラムは、フラッシュメモリ等、給電の有無にかかわらずデータを記憶保持する書き換え可能なメモリである不揮発性メモリに記憶することが望ましい。これは、メモリ１６に、不揮発性メモリを備えることで実現することができる。
【００２８】
図２に、ＬＣＤ２２ｂ上における表示画面のうち、特に、ＷｉＦｉを用いたプリンタとの通信とＢｌｕｅｔｏｏｔｈを用いたプリンタとの通信とを選択する選択画面を例示する。この場合、図示されるように、タイトル表示領域３４に「Ｐｒｉｎｔ  Ｓｅｔｔｉｎｇｓ」と記載される。図示されるように、本実施形態では、ＷｉＦｉを用いる場合に対応する領域（選択支援領域３０）と、Ｂｌｕｅｔｏｏｔｈを用いる場合に対応する領域（選択支援領域３２）とが並列表示されている。ここで、これら選択支援領域３０，３２は、いずれもプリンタの機種を選択するプリンタ選択領域ＰＡと、通信経路を選択するためのラジオボタンＲＡとを備えている。
【００２９】
選択支援領域３０のプリンタ選択領域ＰＡは、ＷｉＦｉによって携帯電話機１０と通信するプリンタ（以下、ＷｉＦｉプリンタ）を選択するための操作が可能な領域である。一方、選択支援領域３２のプリンタ選択領域ＰＡは、Ｂｌｕｅｔｏｏｔｈによって携帯電話機１０と通信するプリンタ（以下、Ｂｌｕｅｔｏｏｔｈプリンタ）を選択するための操作が可能な領域である。
【００３０】
また、選択支援領域３０のラジオボタンＲＡは、ＷｉＦｉを通信に用いる経路として設定するための領域である。一方、選択支援領域３２のラジオボタンＲＡは、Ｂｌｕｅｔｏｏｔｈを通信に用いる経路として設定するための領域である。なお、ラジオボタンＲＡは、通信に用いるものとして設定された場合に通信に用いるものとして設定されていない場合と比較して、色を相違させることで、表示を相違させる。これは、通信に用いる経路として設定されているのがいずれの経路であるかを視覚表示するための設定である。ちなみに、図２では、通信に用いる経路としてＷｉＦｉが設定されていることを例示した。
【００３１】
ここで、本実施形態では、ＷｉＦｉとＢｌｕｅｔｏｏｔｈとのいずれかが必ず通信に用いる経路として設定される。このため、選択支援領域３０，３２のラジオボタンＲＡのいずれか一方において必ず通信に用いる経路として設定されている旨の表示がなされる。ちなみに、通信支援プログラムを携帯電話機１０にインストールした際には、初期設定としてたとえばＷｉＦｉが通信に用いる経路として設定される。
【００３２】
なお、図２に示すプリンタ選択領域ＰＡとラジオボタンＲＡとの和集合は、選択支援領域３０，３２と一致することが望ましい。これは、たとえばプリンタ選択領域ＰＡに選択支援領域３０，３２を一致させ、その内部にラジオボタンＲＡを埋め込むことで実現することができる。ただし、この場合、選択支援領域３０，３２の図中右側の角部にユーザが触れた場合に、ラジオボタンＲＡが選択されたと認識可能なように、ラジオボタンＲＡを矩形状に構成することが望ましい。もっとも、プリンタ選択領域ＰＡに選択支援領域３０，３２を一致させ、その内部にラジオボタンＲＡを埋め込むことは必須ではない。
【００３３】
上記プリンタ選択領域ＰＡには、その領域において図の下方の部分に、通信先として設定されているプリンタ名が表示される領域が設けられている。ただし、プリンタが設定されていない場合、この領域には、未だ設定されていない旨が表示される。図２では、ＷｉＦｉプリンタおよびＢｌｕｅｔｏｏｔｈプリンタのいずれも設定されていない場合の表示を想定しており、未だ設定されていない旨として、「Ｎｏ  Ｄｅｖｉｃｅ  ｓｅｌｅｃｔｅｄ」と表示される例が示されている。なお、この表示を実現する機能は、本実施形態において、未設定表示機能を構成する。また、図２の表示全体を実現する機能は、本実施形態において選択支援機能に対応する。
【００３４】
以下、上記タッチパネル２２ａへの入力操作によってプリンタとの通信を設定する処理を簡素化することのできる本実施形態にかかる通信支援プログラムを用いた機能について説明する。
【００３５】
図３に、本実施形態にかかるＷｉＦｉ通信支援処理の手順を示す。この処理は、メモリ１６に記憶された通信支援プログラムがＣＰＵ１４によってたとえば所定周期で繰り返し実行されることで実現される。
【００３６】
この一連の処理では、まずステップＳ１０において、ＷｉＦｉ側である選択支援領域３０のラジオボタンＲＡがユーザによりタッチされるなど、ユーザによる入力操作がなされることでラジオボタンＲＡが選択されたか否かを判断する。そして、ステップＳ１０において肯定判断される場合、ステップＳ１２に移行する。ステップＳ１２においては、携帯電話機１０と通信するＷｉＦｉプリンタが既に設定されているか否かを判断する。そして、ステップＳ１２において否定判断される場合、ステップＳ１４において、ＷｉＦｉを用いた通信の機能が有効か否かを判断する。ここで、通信の設定が有効とは、たとえばＷｉＦｉ通信部１８の電源がオフでないことや、ＷｉＦｉ通信部１８が利用される通信手段としてＯＳに認識されていること等のことである。そして、ステップＳ１４において否定判断される場合、ステップＳ１６においてＬＣＤ２２ｂにＷｉＦｉ設定画面を表示する。この状況は、たとえば図４（ａ）、図４（ｄ）に例示する状況である。すなわち、図４（ａ）に示すように、ＷｉＦｉ側のラジオボタンＲＡが選択された時点で、ＷｉＦｉが無効である場合、図４（ｄ）に示すＷｉＦｉ設定画面となり、ＷｉＦｉを用いた通信の機能を有効とすることが促される。これに対し、ユーザは、ＷｉＦｉ設定画面の案内に従ってタッチパネル２２ａを操作することで、ＷｉＦｉを用いた通信の機能を有効とすることができる（図４（ｅ））。ちなみに、図４（ｅ）では、ＷｉＦｉを用いた通信を行う旨の入力操作がなされる実行ボタンの領域がＬＣＤ２２ｂに表示される例を示している。
【００３７】
ＷｉＦｉ設定画面が表示されると、先の図３に示すように、ユーザによってＷｉＦｉを用いた通信を行う操作がなされ、ＷｉＦｉを用いた通信の機能が有効となるまで待機する（ステップＳ１８）。そしてユーザの操作によってＷｉＦｉを用いた通信の機能が有効とされステップＳ１８において肯定判断されるか、ステップＳ１４において肯定判断される場合、ステップＳ２０に移行する。
【００３８】
ステップＳ２０においては、ＷｉＦｉプリンタの検索画面を表示する。すなわち、図４（ｂ）に例示するように、ＬＣＤ２２ｂに、通信可能なＷｉＦｉプリンタが一覧表示される画面を表示する。ちなみに、この画面は、図４（ａ）に示した画面との切り替えによって表示されるものであるため、タイトル表示領域３４に、別の画面であることを示す別のタイトル「ＷｉＦｉ  Ｐｒｉｎｔｅｒ」が表示されている。これに対し、ユーザが特定のＷｉＦｉプリンタ領域を選択して入力操作を行うと、先の図３のステップＳ２２に示す処理によって、プリンタが選択されたと判断され、ステップＳ２４に移行する。ステップＳ２４においては、選択されたプリンタが設定され、図４（ｃ）に示すように、前画面に戻る。なお、ステップＳ２０〜Ｓ２４の処理は、本実施形態において、デバイス設定機能を構成し、ステップＳ１２において否定判断されることでステップＳ２０に移行する処理は、本実施形態において、設定支援機能を構成する。また、ステップＳ２０の処理は、本実施形態において候補表示機能を構成する。
【００３９】
図４（ａ）には、当初プリンタが設定されていない状況を例示している。このため、選択支援領域３０に、ＷｉＦｉプリンタが設定されていない旨が表示される（未設定表示機能）。これに対し、図４（ｃ）においては、設定されたＷｉＦｉプリンタ名（ここでは、「ＷｉＦｉＰ−２」を例示）が表示される（デバイス表示機能）。
【００４０】
先の図３のステップＳ２４の処理が完了する場合や、ステップ１２の処理において肯定判断される場合には、ステップＳ２６において、上記ステップＳ１０の処理において肯定判断される時点で、具体的には、ＷｉＦｉ側のラジオボタンＲＡが選択される直前に、プリンタとの通信を行うための通信経路としてＷｉＦｉが設定されていたか否かを判断する。そして、ステップＳ２６において否定判断される場合、ステップＳ２８においてプリンタとの通信を行う経路を、ＷｉＦｉに切り替える。なお、ＷｉＦｉへの切り替えがなされる場合、プリンタとの通信に用いる通信経路がＷｉＦｉである旨がメモリ１６に記憶される。これにより、これ以後、プリンタとの通信を実行し、通信を停止した後、新たにプリンタとの通信を行うための操作がなされる場合には、初期設定として、プリンタとの通信経路としてＷｉＦｉが設定されることとなる。ちなみに、ステップＳ２８の処理は、本実施形態において、経路設定機能を構成する。
【００４１】
図５に、ステップＳ２６において否定判断される状況を示す。すなわち、当初、図５（ａ）においてＢｌｕｅｔｏｏｔｈ側のラジオボタンＲＡの表示に示されるように、通信経路としてＢｌｕｅｔｏｏｔｈが設定されている場合であっても、ＷｉＦｉプリンタの設定がなされることで（図５（ｂ））、ＷｉＦｉに切り替えられる（図５（ｃ））。ちなみに、図４に示す例のように当初から通信経路としてＷｉＦｉが設定されている場合には、ＷｉＦｉプリンタの選択がなされた後にも、継続してＷｉＦｉが選択され、切り替え処理はなされない。
【００４２】
なお、ステップＳ２８の処理が完了する場合や、ステップＳ１０において否定判断される場合、さらには、ステップＳ２６において肯定判断される場合には、この一連の処理を一旦終了する。
【００４３】
図６に、本実施形態にかかるＷｉＦｉ設定処理の手順を示す。この処理は、メモリ１６に記憶された通信支援プログラムがＣＰＵ１４によってたとえば所定周期で繰り返し実行されることで実現される。なお、図６に示す処理は、先の図３に示した処理と並行して行われる。
【００４４】
この一連の処理では、まずステップＳ３０において、ＷｉＦｉ側である選択支援領域３０のプリンタ選択領域ＰＡがユーザによりタッチされるなど、ユーザによる入力操作によってプリンタ選択領域ＰＡが選択されたか否かを判断する。そして、ステップＳ３０において肯定判断される場合、ステップＳ３２〜Ｓ４２の処理において、先の図３のステップＳ１４〜Ｓ２４の処理と同様の処理を行う。そして、ステップＳ４２の処理が完了する場合、ステップＳ４６〜Ｓ４８の処理において、先の図３のステップＳ２６〜Ｓ２８に対応する処理を行う。なお、ステップＳ４８の処理は、本実施形態において、経路設定機能を構成する。
【００４５】
ここで、ステップＳ４６において否定判断される状況を、図７に例示する。すなわち、当初、図７（ａ）においてＢｌｕｅｔｏｏｔｈ側のラジオボタンＲＡの表示に示されるように、通信経路としてＢｌｕｅｔｏｏｔｈが設定されている場合であっても、ＷｉＦｉプリンタの設定がなされることで（図７（ｂ））、ＷｉＦｉに切り替えられる（図７（ｃ））。
【００４６】
図８に、本実施形態にかかるＢｌｕｅｔｏｏｔｈ通信支援処理の手順を示す。この処理は、メモリ１６に記憶された通信支援プログラムがＣＰＵ１４によってたとえば所定周期で繰り返し実行されることで実現される。なお、図８に示す処理は、先の図３および図６に示した処理と並行して行われる。
【００４７】
この一連の処理では、まずステップＳ５０において、Ｂｌｕｅｔｏｏｔｈ側である選択支援領域３２のラジオボタンＲＡが選択されたか否かを判断する。そして、ステップＳ５０において肯定判断される場合、ステップＳ５２においては、携帯電話機１０と通信するＢｌｕｅｔｏｏｔｈプリンタが既に設定されているか否かを判断する。そして、ステップＳ５２において否定判断される場合、ステップＳ５４において、Ｂｌｕｅｔｏｏｔｈを用いた通信の機能が有効か否かを判断する。そして、ステップＳ５４において否定判断される場合、ステップＳ５６においてＬＣＤ２２ｂにＢｌｕｅｔｏｏｔｈ設定画面を表示する。この状況は、たとえば図９（ａ）、図９（ｄ）に例示する状況である。すなわち、図９（ａ）に示すように、Ｂｌｕｅｔｏｏｔｈ側のラジオボタンＲＡに対する入力操作がなされた時点で、Ｂｌｕｅｔｏｏｔｈが非接続である場合、図９（ｄ）のＢｌｕｅｔｏｏｔｈ設定画面となり、Ｂｌｕｅｔｏｏｔｈを用いた通信の機能を有効とするよう促される。これに対し、ユーザは、Ｂｌｕｅｔｏｏｔｈ設定画面の案内に従ってタッチパネル２２ａを操作することで、Ｂｌｕｅｔｏｏｔｈを用いた通信の機能を有効とすることができる。
【００４８】
Ｂｌｕｅｔｏｏｔｈ設定画面が表示されると、先の図８に示すように、ユーザによってＢｌｕｅｔｏｏｔｈを用いた通信の機能を有効とする操作がなされ、Ｂｌｕｅｔｏｏｔｈを用いた通信の機能が有効となるまで待機する（ステップＳ５８）。そしてユーザの操作によってＢｌｕｅｔｏｏｔｈを用いた通信の機能が有効とされステップＳ５８において肯定判断されるか、ステップＳ５４において肯定判断される場合、ステップＳ６０に移行する。
【００４９】
ステップＳ６０においては、Ｂｌｕｅｔｏｏｔｈプリンタの検索画面を表示する。すなわち、図９（ｂ）に例示するように、ＬＣＤ２２ｂに、通信可能なＢｌｕｅｔｏｏｔｈプリンタが一覧表示される画面を表示する。ただし、Ｂｌｕｅｔｏｏｔｈの場合、ＯＳによって記憶されているペアリングされたプリンタが表示されるため、実際には通信不可能なプリンタも表示される。なお、一覧表示されたＢｌｕｅｔｏｏｔｈプリンタとは相違するＢｌｕｅｔｏｏｔｈプリンタを通信先として設定することが望まれる場合に備え、この画面においては、新たにＢｌｕｅｔｏｏｔｈプリンタを追加する画面へのリンクを張ることが望ましい。
【００５０】
これに対し、ユーザが特定のＢｌｕｅｔｏｏｔｈプリンタ領域を選択し、入力操作がなされることで、先の図９のステップＳ６２に示す処理によって、プリンタが選択されたと判断され、ステップＳ６４に移行する。ステップＳ６４においては、選択されたプリンタが設定され、図９（ｃ）に示すように、前画面に戻る。
【００５１】
図９（ａ）には、当初プリンタが設定されていない状況を例示している。このため、選択支援領域３２に、Ｂｌｕｅｔｏｏｔｈプリンタが設定されていない旨が表示される（未設定表示機能）。これに対し、図９（ｃ）においては、設定されたＢｌｕｅｔｏｏｔｈプリンタ名（ここでは、「ＢｕＰ−１」を例示）が表示される（デバイス表示機能）。
【００５２】
先の図８のステップＳ６４の処理が完了する場合や、ステップ５２の処理において肯定判断される場合には、ステップＳ６６において、上記ステップＳ５０の処理において肯定判断される時点で、具体的には、Ｂｌｕｅｔｏｏｔｈ側のラジオボタンＲＡが選択される直前に、プリンタとの通信を行うための通信経路としてＢｌｕｅｔｏｏｔｈが設定されていたか否かを判断する。そして、ステップＳ６６において否定判断される場合、ステップＳ６８においてプリンタとの通信を行う経路を、Ｂｌｕｅｔｏｏｔｈに切り替える。なお、Ｂｌｕｅｔｏｏｔｈへの切り替えがなされる場合、プリンタとの通信に用いる通信経路がＢｌｕｅｔｏｏｔｈである旨がメモリ１６に記憶される。これにより、これ以後、プリンタとの通信を実行し、通信を停止した後、新たにプリンタとの通信を行うための操作がなされる場合には、初期設定として、プリンタとの通信経路としてＢｌｕｅｔｏｏｔｈが設定されることとなる。また、ステップＳ６８の処理は、本実施形態において経路設定機能を構成する。
【００５３】
図１０に、上記ステップＳ６６において否定判断される状況を示す。すなわち、当初、図１０（ａ）においてＷｉＦｉ側のラジオボタンＲＡの表示から分かるように通信経路としてＷｉＦｉが設定されている場合であっても、Ｂｌｕｅｔｏｏｔｈプリンタの設定がなされることで（図１０（ｂ））、Ｂｌｕｅｔｏｏｔｈに切り替えられる（図１０（ｃ））。ちなみに、図９に示す例のように、当初からＢｌｕｅｔｏｏｔｈが選択されている場合には、Ｂｌｕｅｔｏｏｔｈプリンタの選択がなされた後にも、継続してＢｌｕｅｔｏｏｔｈが選択され、切り替え処理はなされない。
【００５４】
なお、ステップＳ６８の処理が完了する場合や、ステップＳ５０において否定判断される場合、さらには、ステップＳ６６において肯定判断される場合には、この一連の処理を一旦終了する。
【００５５】
図１１に、本実施形態にかかるＢｌｕｅｔｏｏｔｈ設定処理の手順を示す。この処理は、メモリ１６に記憶された通信支援プログラムがＣＰＵ１４によってたとえば所定周期で繰り返し実行されることで実現される。なお、図１１に示す処理は、先の図３，図６および図８に示した処理と並行して行われる。
【００５６】
この一連の処理では、まずステップＳ７０において、Ｂｌｕｅｔｏｏｔｈ側である選択支援領域３２のプリンタ選択領域ＰＡが選択されたか否かを判断する。そして、ステップＳ７０において肯定判断される場合、ステップＳ７２〜Ｓ８２の処理において、先の図８のステップＳ５４〜Ｓ６４の処理と同様の処理を行う。そして、ステップＳ８２の処理が完了する場合、ステップＳ８４〜Ｓ８６の処理において、先の図８のステップＳ６６〜Ｓ６８に対応する処理を行う。なお、ステップＳ８６の処理は、本実施形態において、経路設定機能を構成する。
【００５７】
ここで、ステップＳ８４において否定判断される状況を、図１２に例示する。すなわち、図１２（ａ）に示すように、当初、ＷｉＦｉ側のラジオボタンＲＡの表示が示すように通信経路としてＷｉＦｉが設定されている場合であっても、Ｂｌｕｅｔｏｏｔｈプリンタの設定がなされることで（図１２（ｂ））、Ｂｌｕｅｔｏｏｔｈに切り替えられる（図１２（ｃ））。
【００５８】
以上説明した本実施形態によれば、以下の効果が得られるようになる。
【００５９】
（１）ラジオボタンＲＡに対する入力操作がなされたときに、これに対応する通信経路（ＷｉＦｉ、Ｂｌｕｅｔｏｏｔｈ）を用いた通信先のプリンタの設定がなされていない場合、プリンタの設定が可能となるプリンタ検索画面に移行した（図４（ｂ）、図５（ｂ）、図７（ｂ）、図９（ｂ）、図１０（ｂ））。これにより、ユーザによる入力操作を簡素化することができる。
【００６０】
（２）ユーザインターフェース２２をＬＣＤ２２ｂとタッチパネル２２ａとを重ねて構成することで、いずれの領域によって所望の操作をすることができるのかをユーザにわかりやすく表示することができる。また、ＬＣＤ２２ｂ上において選択支援領域３０，３２と同一の表示位置をプリンタ検索画面におけるプリンタの表示領域とすることができるメリットもある。
【００６１】
（３）選択支援領域３０，３２のそれぞれを、プリンタの種類を選択するためのプリンタ選択領域ＰＡと、通信経路を選択するためのラジオボタンＲＡとを備えて構成した。これにより、プリンタの選択や通信経路の選択を容易に行うことができる。
【００６２】
（４）プリンタの検索画面においてプリンタが設定される場合、それ以前にそのプリンタに対応する通信経路が通信に用いる経路とされていなかった場合であっても、これを通信経路に切り替えた。これにより、ユーザによる入力操作を簡素化することができる。
【００６３】
（５）プリンタが設定されていない通信経路が選択されたときに、選択された通信経路を用いた通信の機能が有効でない場合、有効とするための画面を表示をし、有効とするように促し、有効となることで、プリンタ検索画面に遷移した。これにより、通信の機能が有効な状態でプリンタ設定を行う旨の条件を課しつつも、ユーザによる入力操作を簡素化することができる。
【００６４】
（６）ＷｉＦｉとＢｌｕｅｔｏｏｔｈとのいずれかがプリンタとの通信に用いられる通信経路として必ず設定されるようにして且つ、プリンタ選択領域ＰＡへの入力操作に応じて、通信経路として設定されていない経路であっても、デバイス検索画面にダイレクトに移行した。これにより、ユーザの入力操作を簡素化することができる。
【００６５】
（７）ＷｉＦｉとＢｌｕｅｔｏｏｔｈとのいずれがプリンタとの通信に用いられる経路として選択されているかに応じて、ラジオボタンＲＡの表示を相違させた。これにより、設定された通信経路をユーザが把握することが容易となる。
【００６６】
（８）プリンタ選択領域ＰＡに、設定されているプリンタ名を表示した（デバイス表示機能）。これにより、設定されたプリンタをユーザが把握することが容易となる。
【００６７】
（９）プリンタが設定されていない場合に、プリンタ選択領域ＰＡにその旨を表示した（未設定表示機能）。これにより、プリンタが設定されていない場合に、その旨をユーザが把握することが容易となる。
【００６８】
＜第２の実施形態＞
以下、第２の実施形態について、先の第１の実施形態との相違点を中心に図面を参照しつつ説明する。
【００６９】
図１３に、本実施形態にかかるＷｉＦｉ通信支援処理の手順を示す。この処理は、メモリ１６に記憶された通信支援プログラムがＣＰＵ１４によってたとえば所定周期で繰り返し実行されることで実現される。なお、図１３において、先の図３に示した処理に対応するものについては、便宜上、同一のステップ番号を付している。
【００７０】
この一連の処理では、まずステップＳ１０ａにおいて、ＷｉＦｉ側である選択支援領域３０が選択されたか否かを判断する。そして、ステップＳ１０ａにおいて肯定判断される場合、ステップＳ１２に移行する。また、ステップＳ１２において肯定判断される場合、ステップＳ１９において、ステップＳ１０ａにおいて選択されたのが、ＷｉＦｉ側のラジオボタンＲＡであるか否かを判断する。そしてステップＳ１９において肯定判断される場合、ステップＳ２６に移行する一方、ステップＳ１９において否定判断される場合、ステップＳ１４に移行する。
【００７１】
こうした処理によっても、ユーザがタッチパネル２２ａを操作するに際し、先の図３および図６の処理と同様の操作性を実現することができる。
【００７２】
なお、Ｂｌｕｅｔｏｏｔｈ通信支援処理についても、図１３の処理と同様にして行うことができるため、その記載を省略する。
【００７３】
＜その他の実施形態＞
以上、実施の形態に基づき本発明を説明したが、本発明は上記実施の形態に何ら限定されるものではなく、本発明の趣旨を逸脱しない範囲内で種々の改良変形が可能であることは容易に推察できるものである。以下、変形例を例示列挙する。
【００７４】
「経路設定機能について」
経路設定機能としては、必ずいずれかの通信経路を設定するものに限らない。たとえば初期状態においては、前回の設定の記憶がないため、いずれの経路をも設定しないようにしてもよい。この場合、たとえば各通信経路のラジオボタンＲＡ同士の表示を同一としてもよい。
【００７５】
また、一旦設定がなされると、これが記憶され変更がなされない限り、この設定が維持するものにも限らない。たとえば、携帯電話機１０内の蓄電エネルギ量が所定以下となる場合、設定された情報が消去されるものであってもよい。この場合、設定情報をフラッシュメモリ等、給電の有無にかかわらずデータを保持するメモリ（不揮発性メモリ）に記憶させる必要がないため、不揮発性メモリの記憶領域を削減することができる。
【００７６】
「表示領域について」
矩形状の領域に限らず、たとえば円形状の領域であってもよい。この場合、たとえば各半円をそれぞれ、プリンタ選択領域（デバイス選択領域）およびラジオボタン（通信選択領域）のそれぞれとすればよい。
【００７７】
また、外部との通信経路として設定されている側のラジオボタンと設定されていないラジオボタンとで、表示を相違させるものに限らず、たとえば選択支援領域３０，３２全体の背景色を相違させるものであってもよい。
【００７８】
「第１通信経路および第２通信経路について」
上記各実施形態では、ＢｌｕｅｔｏｏｔｈとＷｉＦｉとを例示したが、これに限らない。また、ＬＣＤ２２ｂに並列表示される通信経路としては、２つに限らず、３つ以上であってもよい。
【００７９】
「選択支援機能について」
選択支援機能としては、選択可能とする通信経路を２つとするものに限らず、たとえば３つ以上とするものであってもよい。この際、それらすべてが表示部において並列表示されることで、同一画面で選択可能なものでなくてもよい。特に、通信経路の数が多い場合には、見やすさの観点から選択支援領域の表示領域の大きさを所定以上とする場合、単一の画面に一括表示することは困難となることもありうる。この場合、表示画面の非連続的な変更（切り替え）によって、通信経路を表示可能としてもよいが、タッチパネル２２ａのフリック操作等によって、画面をスクロールすることで表示内容を連続的に変更するものであることが望ましい。
【００８０】
「設定支援機能について」
設定支援機能に、通信の機能が有効とされることを条件にデバイス設定機能によるデバイスの設定を可能とする機能を設ける手法としては、上記各実施形態において例示したものに限らない。たとえば先の図３に示した処理において、ステップＳ１０において肯定判断されることで、ステップＳ１４〜Ｓ１８の処理を実行し、その後、ステップＳ１２に移行するようにしてもよい。もっとも、上記手法自体必須ではなく、たとえば、先の図３に示した処理において、ステップＳ２６の処理の後にステップＳ１４〜Ｓ１８の処理を実行してもよい。
【００８１】
「ユーザインターフェース（入力部および表示部）について」
ユーザインターフェースとしては、タッチパネル２２ａおよびＬＣＤ２２ｂを重ねて構成するものに限らない。たとえば、表示部と入力部とが平面視において各別の領域に形成されるものであってもよい。この場合であっても、たとえばプリンタ選択領域ＰＡおよびラジオボタンＲＡに対応する入力部を備え、ラジオボタンが操作されたときに対応する通信経路のプリンタが設定されていない場合、表示部にプリンタ検索画面を表示すればよい。この際、プリンタ検索画面中におけるプリンタの指定が上記プリンタ選択領域ＰＡおよびラジオボタンＲＡに対応する入力部によって実行可能なようにすればよい。またたとえば、こうしてプリンタが設定される場合、プリンタの設定がなされた通信経路を通信に用いる経路に自動設定するようにしてもよい。
【００８２】
また、デバイス選択用の領域と、通信選択用の領域とを、通信経路ごとに設けるものに限らない。たとえば、通信経路にかかわらずデバイスを選択する共通領域と、通信選択用の領域とを有するものであってもよい。この場合、通信選択用の領域への入力操作がなされる際、その通信経路のデバイスが未だ設定されていない場合、その通信経路のデバイス選択を可能とするなら、ユーザの入力操作を簡素化することができる。またたとえば、通信経路ごとに各別のデバイス選択用の領域のみを有するものであってもよい。この場合、デバイス選択用の領域への入力操作によって特定のデバイスが選択された場合、これに対応する通信経路を自動的に設定するなら、通信経路の設定のための入力操作を回避することができ、ユーザの入力操作を簡素化することができる。なお、既に設定されているデバイスを通信先とする場合、たとえば先の図４（ｂ）の画面において既に選択されているデバイスを再度選択（承認）すればよい。
【００８３】
「デバイスについて」
通信対象となるデバイスとしては、プリンタに限らない。要は通信装置との通信を行うデバイスであればよい。
【００８４】
「通信装置について」
通信装置としての多機能携帯端末としては、携帯電話機１０に限らず、たとえば電話機能を有しないタブレット端末等であってもよい。
【００８５】
「通信支援プログラムについて」
アプリケーションプログラムに限らず、ＯＳ自体に、デバイス設定機能や、選択支援機能、設定支援機能、および経路設定機能の全てまたは一部を搭載してもよい。
【００８６】
「そのほか」
デバイス設定機能や、選択支援機能、設定支援機能、および経路設定機能の全てまたは一部を、ソフトウェア処理とすることなく、専用のハードウェア手段によって構成してもよい。
【符号の説明】
【００８７】
１０…携帯電話機（通信装置の一実施形態）、１４…ＣＰＵ（制御部の一実施形態）、１８…ＷｉＦｉ通信部（通信部の一実施形態）、２０…Ｂｌｕｅｔｏｏｔｈ通信部（通信部の一実施形態）、２２ａ…タッチパネル（入力部の一実施形態）、２２ｂ…ＬＣＤ（表示部の一実施形態）、Ｓ２０，Ｓ３８，Ｓ６０，Ｓ７８…デバイス設定機能の一実施形態、Ｓ１２，Ｓ５２…設定支援機能の一実施形態、Ｓ２８，Ｓ４８，Ｓ６８，Ｓ８８…経路設定機能の一実施形態。
【図１】
2014107846.tif 000003
【図２】
2014107846.tif 000004
【図３】
2014107846.tif 000005
【図４】
2014107846.tif 000006
【図５】
2014107846.tif 000007
【図６】
2014107846.tif 000008
【図７】
2014107846.tif 000009
【図８】
2014107846.tif 000010
【図９】
2014107846.tif 000011
【図１０】
2014107846.tif 000012
【図１１】
2014107846.tif 000013
【図１２】
2014107846.tif 000014
【図１３】
2014107846.tif 000015